(57)【要約】【課題】ダストの払い落とし運転時に噴出させる圧力気体の圧力の上昇や噴出量の増加によることなく、ダストの払い落とし能力を向上させることができる集塵機を提供すること。【解決手段】ダストを含む気体を濾過するフィルタ７に、前記ダストを含む気体の流れ方向の下流側から圧力気体を供給することによってフィルタ７の濾過面に付着したダストを払い落とすようにした集塵機１において、前記フィルタ７の濾過面のダストを含む気体の流入側に、前記圧力気体を供給したときにフィルタ７の濾過面に対して前記ダストを含む気体の流れ方向の上流側に向けて変位するダスト付着部材１０を配設する。【選択図】図２
2010227773.tif 000002
【特許請求の範囲】
【請求項１】
ダストを含む気体を濾過するフィルタに、前記ダストを含む気体の流れ方向の下流側から圧力気体を供給することによってフィルタの濾過面に付着したダストを払い落とすようにした集塵機において、前記フィルタの濾過面のダストを含む気体の流入側に、前記圧力気体を供給したときにフィルタの濾過面に対して前記ダストを含む気体の流れ方向の上流側に向けて変位するダスト付着部材を配設したことを特徴とする集塵機。
【請求項２】
前記ダスト付着部材を、少なくとも上辺をフィルタに固着した繊維製の面状部材で構成したこと特徴とする請求項１記載の集塵機。
【請求項３】
前記ダスト付着部材を、少なくとも上部をフィルタに固着した繊維製の線状部材で構成したこと特徴とする請求項１記載の集塵機。
【請求項４】
前記ダスト付着部材に、該ダスト付着部材の変位量を規制する変位量規制部材を設けたこと特徴とする請求項１、２又は３記載の集塵機。
【発明の詳細な説明】
【技術分野】
【０００１】
本発明は、集塵機に関するものであって、特に、フィルタの濾過面に付着したダストを圧力気体によって効果的に払い落とすことができる集塵機に関するものである。
【背景技術】
【０００２】
従来、焼却炉や電気炉等から排出される排ガスや含塵空気（本明細書において、「ダストを含む気体」という。）中に含まれるダストを捕集するために、フィルタを備えた集塵機が広く採用されている。
ところで、この集塵機に用いられるフィルタには、ダストが付着することになるが、ダストが多量に付着し、通気抵抗（圧損）が所定値以上に上昇したとき、又は使用期間が一定時間経過した後に定期的に、フィルタの濾過面の裏面側に向けてダストを含む気体の流れ方向の下流側から圧力気体（例えば、圧縮空気）を噴出させることによって、フィルタに付着したダストを払い落とすようにしている（例えば、特許文献１〜２参照）。
【０００３】
より具体的には、図６に示すように、フィルタ７に付着したダストを払い落とすために、集塵機３０は、筐体２の内部を区画壁３により上下に区画し、下部を含塵空気導入室４、上部を浄化空気室５とし、区画壁３に形成したフィルタ取付穴に含塵空気導入室４に配置したフィルタ７の開口基端部を取り付けるようにしている。
そして、圧力気体供給弁Ｖを開閉することにより、圧力気体供給源（図示省略）と接続される分岐管Ｇからインジェクターチューブ８に圧力気体を供給し、インジェクターチューブ８に設けた複数の圧力気体噴出部９からフィルタ７の開口基端部に向けて圧力気体を噴出させることによって、フィルタ７の濾過面の裏面側に圧力気体を作用させ、フィルタ７の濾過面に付着したダストを払い落とすようにしている。
【先行技術文献】
【特許文献】
【０００４】
【特許文献１】特開２００７−１７５６３５号公報
【特許文献２】特開２００４−３５１３２３号公報
【発明の概要】
【発明が解決しようとする課題】
【０００５】
ところで、ダストの払い落とし運転時に圧力気体を噴出することによってフィルタの濾過面に付着したダストを払い落とすようにする場合、ダストの払い落とし能力を向上させる要素として、（１）ダストの払い落とし運転時に噴出させる圧力気体の圧力を上昇させたり、噴出量を増加させること、（２）ダストの払い落とし運転時にフィルタを含塵空気室側に大きく膨張させ濾過面の変位量を大きくすること、（３）濾過面の変位を急激に行うこと、（４）変位した濾過面が急激に停止すること等を挙げることができる。
【０００６】
そして、従来の集塵機においては、上記要素のうち、主として、（１）ダストの払い落とし運転時に噴出させる圧力気体の圧力を上昇させたり、噴出量を増加させることで、ダストの払い落とし能力を向上させるようにしていたが、この方法は、エネルギの消費量が多くなり、ランニングコストの増大につながるという問題があった。
【０００７】
本発明は、上記従来の集塵機の有する問題点に鑑み、ダストの払い落とし運転時に噴出させる圧力気体の圧力の上昇や噴出量の増加によることなく、ダストの払い落とし能力を向上させることができる集塵機を提供することを目的とする。
【課題を解決するための手段】
【０００８】
上記目的を達成するため、本発明の集塵機は、ダストを含む気体を濾過するフィルタに、前記ダストを含む気体の流れ方向の下流側から圧力気体を供給することによってフィルタの濾過面に付着したダストを払い落とすようにした集塵機において、前記フィルタの濾過面のダストを含む気体の流入側に、前記圧力気体を供給したときにフィルタの濾過面に対して前記ダストを含む気体の流れ方向の上流側に向けて変位するダスト付着部材を配設したことを特徴とする。
【０００９】
この場合において、前記ダスト付着部材は、少なくとも上辺をフィルタに固着した繊維製の面状部材や少なくとも上部をフィルタに固着した繊維製の線状部材で構成することができる。
【００１０】
また、前記ダスト付着部材に、該ダスト付着部材の変位量を規制する変位量規制部材を設けることができる。
【発明の効果】
【００１１】
本発明の集塵機によれば、フィルタの濾過面のダストを含む気体の流入側に、前記圧力気体を供給したときにフィルタの濾過面に対して前記ダストを含む気体の流れ方向の上流側に向けて変位するダスト付着部材を配設することにより、ダスト付着部材を、フィルタの濾過面の裏面側から作用する圧力気体によって大きく変位させ、ダスト付着部材に付着したダストを効果的に払い落とすことができ、ダストの払い落とし能力を向上させることができる。
【００１２】
また、ダスト付着部材を、少なくとも上辺をフィルタに固着した繊維製の面状部材や少なくとも上部をフィルタに固着した繊維製の線状部材で構成することにより、放射方向の変位が制限されることがなく、大きな変位量を確保することができる。
【００１３】
また、ダスト付着部材に、該ダスト付着部材の変位量を規制する変位量規制部材を設けることによって、変位中のダスト付着部材を拘束して、ダスト付着部材を急激に停止させるとともに、強制的に変形させることによって、ダスト付着部材に付着したダストを効果的に払い落とすことができ、ダストの払い落とし能力を一層向上させることができる。
【図面の簡単な説明】
【００１４】
【図１】本発明の集塵機の第１実施例を示す一部断面の正面図である。
【図２】同集塵機に使用するフィルタを示し、（ａ）は一部切り書きの正面図、（ｂ）は（ａ）のＸ−Ｘ断面図、（ｃ）はフィルタの濾過面に配設するダスト付着部材の正面図である。
【図３】同集塵機の運転時におけるダスト付着部材の説明図で、（ａ）は濾過運転の開始前を、（ｂ）はダストの払い落とし運転の開始前を、（ｃ）はダストの払い落とし運転の開始時を、（ｄ）はダストの払い落とし運転の最終段階を示す。
【図４】面状部材からなるダスト付着部材の変形実施例を示し、（ａ）はフィルタに配設し、平衡状態を示す一部切り欠きの正面図、（ｂ）ダストの払い落とし運転状態を示す一部切り欠きの正面図である。
【図５】本発明の集塵機の第２実施例に使用するフィルタを示し、（ａ）は平衡状態を示す一部切り欠きの正面図、（ｂ）ダストの払い落とし運転状態を示す一部切り欠きの正面図である。
【図６】従来の集塵機を示す一部断面の正面図である。
【発明を実施するための形態】
【００１５】
以下、本発明の集塵機の実施の形態を、図面に基づいて説明する。
【実施例１】
【００１６】
図１〜図３に、本発明の集塵機の第１実施例を示す。
この集塵機１は、図１に示すように、筐体２の内部を区画壁３により上下に区画し、下部を含塵空気導入室４、上部を浄化空気室５とし、含塵空気導入室４を塵埃発生源（図示省略）に接続し、浄化空気室５を配管６を介して吸引装置Ｆに接続するようにしている。
区画壁３には、多数の有底筒状のフィルタ７を垂下して取り付け、各フィルタ７の上方には、圧力気体供給源（図示省略）と接続される分岐管Ｇとダイヤフラムバルブ等からなる圧力気体供給弁Ｖを介して接続されるインジェクターチューブ８を配備し、このインジェクターチューブ８に圧力気体噴出部９をフィルタ７の開口部に臨ませて形成するようにしている。
そして、この集塵機１は、圧力気体噴出部９から噴出される圧力気体によってフィルタ７の濾過面に付着したダストを払い落とすように構成している。
【００１７】
ところで、この集塵機１においては、フィルタ７の濾過面のダストを含む気体の流入側に、圧力気体を供給したときにフィルタ７の濾過面に対してダストを含む気体の流れ方向の上流側に向けて変位するダスト付着部材１０を配設するようにしている。
特に、本実施例のように、繊維製のフィルタ７を使用する場合は、ダスト付着部材１０を、圧力気体を供給したときのフィルタ７の濾過面の変位量よりもダスト付着部材１０の変位量が大きくなるように配設するようにする。
【００１８】
このダスト付着部材１０の形状や配設構造は、特に限定されるものではないが、本実施例においては、図２に示すように、繊維製の面状部材１１、より具体的には、図２（ｃ）に示すように、長方形の方形部材１１ａで構成し、少なくとも上辺をフィルタ７に縫製、接着、溶着等により固着するようにしている。
ダスト付着部材１０を構成する方形部材１１ａの配設枚数、配設箇所は、特に限定されるものではなく、フィルタ７の濾過面の全体を覆うように配設するほか、ダストの付着量が多くなるフィルタ７の下端から中間位置付近までの範囲に配設するようにすることもできる。
また、ダスト付着部材１０を構成する方形部材１１ａは、図２（ａ）に示すように、上下及び／又は左右に隣接する方形部材１１ａ同士が一部重なり合うように、より具体的には、例えば、上方に位置する方形部材１１ａの下端縁が、下方に位置する方形部材１１ａのフィルタ７への固着箇所より下方に位置するように配設することが望ましい。
【００１９】
ダスト付着部材１０を構成する方形部材１１ａは、フィルタ７とは異なり、放射方向の変位が制限されることがなく、大きな変位量を確保することができるようにしている。
【００２０】
なお、繊維製の面状部材１１からなるダスト付着部材１０は、上記の１枚ごとに分離した方形部材１１ａで構成するほか、図４に示す変形実施例のように、少なくとも一部（上端部）が連続した筒状部材１１ｂで構成することもできる。
これにより、圧力気体の逃げを少なくすることができる。
この場合も、ダスト付着部材１０を構成する筒状部材１１ｂの放射方向の変位が制限されることがないように、下端部に縦方向の切り込みを入れたり、縦方向の折り線からなる折り込みを入れるようにする。
【００２１】
この場合において、ダスト付着部材１０を構成する方形部材１１ａの下端部分に、錘Ｗを編み込み等によって取り付けることもでき、これによって、濾過運転時の方形部材１１ａの設置位置の安定性を向上することができる。
【００２２】
また、ダストを含む気体の濾過は、ダスト付着部材１０とフィルタ７とで行うため、ダスト付着部材１０をフィルタ７を構成する布地よりも柔軟に構成する（例えば、布地を薄くしたり、使用する繊維に細い繊維を使用する。）ことができ、これにより、ダスト付着部材１０の変位を急激に行うようにするとともに、大きく変形させることができ、これによって、ダストの払い落とし能力を向上させることができる。
【００２３】
また、ダスト付着部材１０に、ダスト付着部材１０の変位量を規制する変位量規制部材２０を設けることができる。
変位量規制部材２０は、特に限定されるものではないが、本実施例においては、所定の長さを有する紐等の線状部材を使用し、図２（ｃ）に示すように、方形部材１１ａの下端縁の両端とフィルタ７とを接続するようにする。
このように、変位量規制部材２０を設けることにより、変位中のダスト付着部材１０を構成する方形部材１１ａを拘束して、方形部材１１ａを急激に停止させるとともに、強制的に変形させることによって、ダスト付着部材１０を構成する方形部材１１ａに付着したダストを効果的に払い落とすことができ、ダストの払い落とし能力を一層向上させることができる。
【００２４】
次に、この集塵機１の運転方法について説明する。
濾過運転時は、図１に示すように、筐体２の浄化空気室５の下流側に配管６を介して接続した吸引装置Ｆの吸引力により、ダスト発生源からのダストを含んだ気体を含塵空気導入室４に導き、ダストをダスト付着部材１０及びフィルタ７で捕捉し、浄化後の空気を浄化空気室５から配管６を介して排出するようにする。
このとき、図３（ａ）に示すように、フィルタ７は、内周面がケージＣに当接して、その形状が保持されている。
【００２５】
そして、図３（ｂ）に示すように、ダスト付着部材１０及びフィルタ７の濾過面にダストが付着し（ダスト付着部材１０にダストＫが層状に付着し）、通気抵抗が所定値に到達したとき、又は一定時間経過後に定期的に、図３（ｃ）に示すように、圧力気体供給弁Ｖを開閉することにより、インジェクターチューブ８に圧力気体を供給し、インジェクターチューブ８に設けた複数の圧力気体噴出部９からフィルタ７の開口基端部に向けて圧力気体を噴出させることによって、フィルタ７の濾過面の裏面側に圧力気体を作用させ、ダスト付着部材１０及びフィルタ７の濾過面に付着したダストを払い落とすようにする。
【００２６】
このとき、圧力気体が噴出されることによって、フィルタ７の濾過面が収縮状態から膨張状態へと変位するが、フィルタ７の濾過面のダストを含む気体の流入側に配設したダスト付着部材１０は、フィルタ７の濾過面の裏面側から作用する圧力気体によって、フィルタ７の濾過面の変位量よりも大きく変位し、ダスト付着部材１０に付着したダストを効果的に払い落とすことができ、ダストの払い落とし能力を向上させることができる。
【００２７】
さらに、図３（ｄ）に示すように、変位量規制部材２０が変位中のダスト付着部材１０を構成する方形部材１１ａを拘束して、方形部材１１ａを急激に停止させるとともに、強制的に変形させることによって、ダスト付着部材１０を構成する方形部材１１ａに付着したダストを効果的に払い落とすことができ、ダストの払い落とし能力を一層向上させることができる。
【実施例２】
【００２８】
図５に、本発明の集塵機の第２実施例を示す。
この集塵機１は、フィルタ７に配設するダスト付着部材１０を、繊維製の線状部材１２で構成し、少なくとも上部をフィルタ７に縫製、接着等により固着するようにしている。
【００２９】
この繊維製の線状部材１２は、撚糸によって構成することが好ましく、例えば、綿糸、ポリエステル糸、レーヨン糸、アセテート糸、あるいはこれらの混紡糸を用いることができる。
そして、より具体的には、ダスト付着部材１０は、清掃具として用いられるモップ様の線状部材１２の集合体を好適に用いることができる。
【００３０】
ダスト付着部材１０を構成する線状部材１２の配設箇所は、特に限定されるものではなく、フィルタ７の濾過面の全体を覆うように配設するほか、ダストの付着量が多くなるフィルタ７の下端から中間位置付近までの範囲に配設するようにすることもできる。
また、ダスト付着部材１０を構成する線状部材１２は、図５に示すように、上下に隣接する線状部材１２同士が一部重なり合うように、より具体的には、例えば、上方に位置する線状部材１２の下端が、下方に位置する線状部材１２のフィルタ７への固着箇所より下方に位置するように配設することが望ましい。
また、ダスト付着部材１０を構成する線状部材１２に、ダスト付着部材１０の変位量を規制する変位量規制部材（図示省略）を設けることができる。
【００３１】
ダスト付着部材１０に線状部材１２を用いることによって、ダスト付着部材１０のフィルタ７への取り付けを簡便に行うことができ、取り扱いを容易にすることができる。
【００３２】
なお、本実施例のその他の構成、作用及び集塵機の運転方法は、上記第１実施例と同様である。
【００３３】
以上、本発明の集塵機について、複数の実施例に基づいて説明したが、本発明は上記実施例に記載した構成に限定されるものではなく、例えば、内面濾過式の集塵機や、フィルタにセラミックフィルタを使用した集塵機等にも適用することができる等、その趣旨を逸脱しない範囲において適宜その構成を変更することができるものである。
【産業上の利用可能性】
【００３４】
本発明の集塵機は、ダストの払い落とし運転時に噴出させる圧力気体の圧力の上昇や噴出量の増加によることなく、ダストの払い落とし能力を向上させることができることから、圧力気体の供給によってフィルタの濾過面に付着したダストを払い落とす集塵機の用途に好適に用いることができる。
また、適用対象も、新設の集塵機のほか、既設の集塵機に対しても、ダスト付着部材を付設したフィルタを用いることによって適用を可能にすることができ、また、適用可能なフィルタも、繊維製のフィルタのほか、セラミックフィルタ等に対しても適用可能である。
【符号の説明】
【００３５】
１    集塵機
７    フィルタ
１０  ダスト付着部材
１１  面状部材
１２  線状部材
２０  変位量規制部材
【図１】
2010227773.tif 000003
【図２】
2010227773.tif 000004
【図３】
2010227773.tif 000005
【図４】
2010227773.tif 000006
【図５】
2010227773.tif 000007
【図６】
2010227773.tif 000008